(57)【要約】【課題】  定量計量時において被計量物の軽量、適量、過量の程度を即座にかつ直感的に認識することが可能な定量計量機能付き電子秤を提供すること。【解決手段】  被計量物の質量値を少なくとも表示する表示部１０１ａを備える定量計量機能付き電子秤１００ａであって、前記表示部が、前記被計量物の質量値を表示する第１の表示部３０と、前記被計量物の質量値を前記所定の適量範囲内の質量値とするための補正情報を表示する第２の表示部５０と、を備えている。【選択図】  図１
2010122013.tif 000002
【特許請求の範囲】
【請求項１】
被計量物の質量を検出してこれに応じた質量情報を出力する質量検出部と、
前記質量検出部から出力された前記質量情報を用いて所定の演算処理により前記被計量物の質量値情報を演算してこれを出力する質量演算部と、
前記質量演算部から出力された前記質量値情報を用いて前記被計量物の質量値を少なくとも表示する質量表示部と、
を備える定量計量機能付き電子秤であって、
前記質量表示部が、
前記被計量物の質量値を表示する第１の表示部と、
前記被計量物の質量値を所定の適量範囲内の質量値とするための補正情報を表示する第２の表示部と、
を備えている、定量計量機能付き電子秤。
【請求項２】
前記第２の表示部が、前記所定の適量範囲内の所定の質量値に対する増減値を前記補正情報として表示する、請求項１記載の定量計量機能付き電子秤。
【請求項３】
前記第２の表示部が、前記所定の適量範囲内の所定の質量値の何％であるかを前記補正情報として表示する、請求項１記載の定量計量機能付き電子秤。
【請求項４】
前記第２の表示部が、前記所定の適量範囲内の所定の質量値の何分の一であるかを前記補正情報として表示する、請求項１記載の定量計量機能付き電子秤。
【請求項５】
前記被計量物の質量値が前記所定の適量範囲未満の質量値である場合には、前記所定の適量範囲の下限の質量値が前記所定の質量値として設定される、請求項２乃至４の何れかに記載の定量計量機能付き電子秤。
【請求項６】
前記被計量物の質量値が前記所定の適量範囲内の質量値である場合には、前記所定の適量範囲の下限の質量値が前記所定の質量値として設定される、請求項２乃至４の何れかに記載の定量計量機能付き電子秤。
【請求項７】
前記被計量物の質量値が前記所定の適量範囲を超える質量値である場合には、前記所定の適量範囲の上限の質量値が前記所定の質量値として設定される、請求項２乃至４の何れかに記載の定量計量機能付き電子秤。
【請求項８】
前記第２の表示部が、前記被計量物の質量値の前記所定の適量範囲からの隔たりに応じた分解能で前記補正情報を表示する、請求項１記載の定量計量機能付き電子秤。
【請求項９】
前記第２の表示部が第１の表示窓と第２の表示窓とを備え、
前記被計量物の質量値が零及び零近傍である場合には前記第１の表示窓が前記所定の適量範囲の下限の質量値を下限規格値として表示しかつ前記第２の表示窓が前記所定の適量範囲の上限の質量値を上限規格値として表示し、
前記被計量物の質量値が零及び零近傍以外である場合には前記第１の表示窓が前記被計量物の増量又は減量に係る第１の補正情報を表示するか前記第２の表示窓が前記被計量物の減量に係る第２の補正情報を表示する、請求項１記載の定量計量機能付き電子秤。
【請求項１０】
前記質量表示部が、
前記被計量物の質量値が所定の適量範囲内の質量値であるか前記所定の適量範囲外の質量値であるかを画像により表示する第３の表示部を更に備えている、請求項１記載の定量計量機能付き電子秤。
【請求項１１】
前記第３の表示部が、前記被計量物の質量値の所定の期間における累積の平均値を画像により更に表示する、請求項１０記載の定量計量機能付き電子秤。
【請求項１２】
前記第２の表示部が表示する前記補正情報に応じた前記被計量物の見本が搭載又は表示されかつ前記被計量物の見本の質量が表示される見本台を更に備えている、請求項１記載の定量計量機能付き電子秤。
【請求項１３】
前記見本台が発光素子を備え、
前記発光素子が、前記第２の表示部が表示する前記補正情報に応じた前記被計量物の見本を指示するように発光する、請求項１２記載の定量計量機能付き電子秤。
【発明の詳細な説明】
【技術分野】
【０００１】
本発明は、被計量物の質量を計量する電子秤に関し、特に、一定量の被計量物を計量するための定量計量機能を備える定量計量機能付き電子秤に関する。
【背景技術】
【０００２】
従来から、例えば食品（被計量物）を生産する食品生産工場では、所定の適量範囲内の質量値とされた被計量物を袋又は容器等に詰める作業（定貫作業）を行うために、被計量物の質量値が表示される電子秤（電子はかり）が用いられている。
【０００３】
この定貫作業では、例えば、複数人のオペレータが複数台の電子秤の前に各々配置される。各々のオペレータは、担当する電子秤を用いることにより、一定量の被計量物を計量した後、これを袋又は容器等に詰める。そして、各々のオペレータは、一定量の被計量物を袋又は容器等に詰めると、その一定量の被計量物を詰め終わった袋又は容器等を次工程に送る。その後、各々のオペレータは、空状態の袋又は容器等を電子秤の上皿上に配置した後、これに一定量の被計量物を再び詰める。このような、オペレータによる定貫作業が繰り返して行われることにより、食品生産工場では、一定量の被計量物が詰められた製品の製造が連続して進められる。
【０００４】
ここで、電子秤とは、例えば、電気抵抗線式ロードセルを利用して被計量物の質量を電気的に計量する、種々ある計量装置の内の一種である。この電子秤は、荷重を加えることでストレインゲージ（又は、電気抵抗線歪計）を貼り付けた金属が歪む際の電気抵抗値の変化を測定することにより、被計量物の質量値を数字で直接表示する。被計量物の質量値は、電子秤が備える表示部に数字で表示される。
【０００５】
ところで、この定貫作業では、所定の期間において所定量の生産数量を確実に確保するために、各々のオペレータは、一定量の被計量物を迅速に計量し、その計量した被計量物を袋又は容器等に迅速に詰める必要がある。つまり、この定貫作業では、袋又は容器等に詰められた被計量物の重量を所定の適量範囲内において管理及び維持するために、各々のオペレータは、計量の際に電子秤の表示部が表示する被計量物の質量値を迅速にかつ正確に読みとり、この読みとった質量値が所定の適量範囲内の質量値であるか否かを迅速にかつ正確に判断する必要がある。そして、各々のオペレータは、被計量物の質量値が軽量又は過量である場合、不足分又は余剰分を迅速にかつ正確に増量又は減量して、被計量物の質量値を迅速にかつ正確に所定の適量範囲内の質量値とする必要がある。これにより、例えば食品生産工場では、生産計画に従った製品の製造が好適に進められる。
【０００６】
しかしながら、この従来の定貫作業では、電子秤の表示部は被計量物の質量値のみを単に表示するものであるため、オペレータの習熟度が低い場合には、被計量物の質量値が軽量又は過量である場合において、不足分又は余剰分を迅速に増量又は減量することが難しく、被計量物の質量値を迅速に所定の適量範囲内の質量値とすることが難しい場合があった。そのため、オペレータは、被計量物の計量作業を行う際、被計量物の計量作業を複数回実施することにより、被計量物の質量値を所定の適量範囲内の質量値としていた。
【０００７】
又、この従来の定貫作業では、製品の種類によっては所定の適量範囲が異なる場合があるため、オペレータの習熟度が低い場合には、所定の適量範囲の記憶間違い等により、被計量物の質量値が軽量又は過量である場合において、不足分又は余剰分を正確に増量又は減量することが難しく、被計量物の質量値を正確に所定の適量範囲内の質量値とすることが難しい場合があった。そのため、オペレータは、被計量物の計量作業を行う際、被計量物に係る所定の適量範囲を逐次確認しながら計量作業を実施することにより、被計量物の質量値を所定の適量範囲内の質量値としていた。
【０００８】
そこで、近年では、はかり取り作業におけるはかり取り予定量を作業者が記憶したり、分銅を用いたりせずとも作業前並びに作業中において確認でき、又、はかり取り中における計量値の読み取りが容易で、かつ、はかり取り完了の判定を行いやすい電子天びんが提案されている（例えば、特許文献１参照）。
【特許文献１】特開昭６０−２７８２１号公報
【発明の開示】
【発明が解決しようとする課題】
【０００９】
しかしながら、上記従来の提案では、被計量物の過不足量に関する情報は何ら提供されない。そのため、オペレータは、定量計量時において被計量物の軽量、適量、過量の程度を即座にかつ直感的に認識することは困難であった。
【００１０】
本発明は、上記従来の課題を解決するためになされたものであり、定量計量時においてオペレータが被計量物の軽量、適量、過量の程度を即座にかつ直感的に認識することが可能な定量計量機能付き電子秤を提供することを目的としている。
【課題を解決するための手段】
【００１１】
上記従来の課題を解決するために、本発明に係る定量計量機能付き電子秤は、被計量物の質量を検出してこれに応じた質量情報を出力する質量検出部と、前記質量検出部から出力された前記質量情報を用いて所定の演算処理により前記被計量物の質量値情報を演算してこれを出力する質量演算部と、前記質量演算部から出力された前記質量値情報を用いて前記被計量物の質量値を少なくとも表示する質量表示部と、を備える定量計量機能付き電子秤であって、前記質量表示部が、前記被計量物の質量値を表示する第１の表示部と、前記被計量物の質量値を所定の適量範囲内の質量値とするための補正情報を表示する第２の表示部と、を備えている。
【００１２】
かかる構成とすると、定量計量機能付き電子秤を用いて被計量物を定量計量する際、その計量した被計量物の質量が適量範囲内の質量であるか、或いは、軽量又は過量である場合にどの程度軽量又は過量であるかを数値で認識することが可能になる。これにより、オペレータによる定貫作業の作業効率を改善することが可能になる。
【００１３】
この場合、前記第２の表示部が、前記所定の適量範囲内の所定の質量値に対する増減値を前記補正情報として表示する。
【００１４】
かかる構成とすると、被計量物の質量が軽量又は過量である場合に、所定の適量範囲内の所定の質量値に対する増減値が第２の表示部に具体的に表示されるので、オペレータは被計量物の増減量を直感的にかつ容易に認識することが可能になる。
【００１５】
又、上記の場合、前記第２の表示部が、前記所定の適量範囲内の所定の質量値の何％であるかを前記補正情報として表示する。
【００１６】
又、上記の場合、前記第２の表示部が、前記所定の適量範囲内の所定の質量値の何分の一であるかを前記補正情報として表示する。
【００１７】
かかる構成とすると、被計量物の質量が軽量又は過量である場合に、所定の適量範囲内の所定の質量値に対する増減割合が第２の表示部に表示されるので、オペレータは被計量物の増減量を直感的にかつ容易に認識することが可能になる。
【００１８】
ここで、上記何れかにおいて、前記被計量物の質量値が前記所定の適量範囲未満の質量値である場合には、前記所定の適量範囲の下限の質量値が前記所定の質量値として設定される。
【００１９】
かかる構成とすると、所定の適量範囲の下限の質量値が所定の質量値として設定されることで、被計量物の増加量を最小限に抑えることができるので、生産効率の改善を図ることが可能になる。
【００２０】
又、上記何れかにおいて、前記被計量物の質量値が前記所定の適量範囲内の質量値である場合には、前記所定の適量範囲の下限の質量値が前記所定の質量値として設定される。
【００２１】
かかる構成としても、所定の適量範囲の下限の質量値が所定の質量値として設定されることで、被計量物の増加量を最小限に抑えることができるので、生産効率の改善を図ることが可能になる。
【００２２】
又、上記何れかにおいて、前記被計量物の質量値が前記所定の適量範囲を超える質量値である場合には、前記所定の適量範囲の上限の質量値が前記所定の質量値として設定される。
【００２３】
かかる構成とすると、所定の適量範囲の上限の質量値が所定の質量値として設定されることで、被計量物の減少量を最小限に抑えることができるので、作業効率の改善を図ることが可能になる。
【００２４】
又、上記の場合、前記第２の表示部が、前記被計量物の質量値の前記所定の適量範囲からの隔たりに応じた分解能で前記補正情報を表示する。
【００２５】
かかる構成とすると、定量計量機能付き電子秤を用いて被計量物を定量計量する際、被計量物の質量値が所定の質量値から大きく離れている場合には低い（荒い）分解能で補正情報が表示され、被計量物の質量値が所定の質量値に近い場合には高い（細かい）分解能で補正情報が表示されるので、オペレータは一別で被計量物の増加量又は減少量を把握することができ、オペレータの作業性を向上させることが可能になる。
【００２６】
又、上記の場合、前記第２の表示部が第１の表示窓と第２の表示窓とを備え、前記被計量物の質量値が零及び零近傍である場合には前記第１の表示窓が前記所定の適量範囲の下限の質量値を下限規格値として表示しかつ前記第２の表示窓が前記所定の適量範囲の上限の質量値を上限規格値として表示し、前記被計量物の質量値が零及び零近傍以外である場合には前記第１の表示窓が前記被計量物の増量又は減量に係る第１の補正情報を表示するか前記第２の表示窓が前記被計量物の減量に係る第２の補正情報を表示する。
【００２７】
かかる構成とすると、第１の表示窓に所定の適量範囲の下限の質量値が下限規格値として表示され、かつ第２の表示窓に所定の適量範囲の上限の質量値が上限規格値として表示されるので、オペレータは下限規格値及び上限規格値を逐次確認することができる。又、被計量物の増量値が第１の表示窓に表示され、被計量物の減量値が第２の表示窓に表示されるので、オペレータは被計量物の増量又は減量を正確に認識することができる。
【００２８】
ここで、上記の場合、前記質量表示部が、前記被計量物の質量値が所定の適量範囲内の質量値であるか前記所定の適量範囲外の質量値であるかを画像により表示する第３の表示部を更に備えている。
【００２９】
かかる構成とすると、定量計量機能付き電子秤を用いて被計量物を定量計量する際、その計量した被計量物の質量が適量範囲内の質量であるか、或いは、軽量又は過量である場合にどの程度軽量又は過量であるかを直感的に認識することが可能になる。これにより、オペレータによる定貫作業の作業効率を大幅に改善することが可能になる。
【００３０】
この場合、前記第３の表示部が、前記被計量物の質量値の所定の期間における累積の平均値を画像により更に表示する。
【００３１】
かかる構成とすると、監督者がオペレータによる被計量物の計量能力を把握することができるので、監督者は必要に応じてオペレータに作業指導を行うことが可能になる。
【００３２】
又、上記の場合、前記第２の表示部が表示する前記補正情報に応じた前記被計量物の見本が搭載又は表示されかつ前記被計量物の見本の質量が表示される見本台を更に備えている。
【００３３】
かかる構成とすると、補正するべき量である被計量物の見本が目前に表示されているので、オペレータは軽量又は過量である場合に被計量物をどの程度増量又は減量させるかを直感的に認識することが可能になる。
【００３４】
この場合、前記見本台が発光素子を備え、前記発光素子が、前記第２の表示部が表示する前記補正情報に応じた前記被計量物の見本を指示するように発光する。
【００３５】
かかる構成とすると、補正するべき量である被計量物の見本が発光素子により指示されるので、オペレータは軽量又は過量である場合に被計量物をどの程度増量又は減量させるかを容易にかつ直感的に認識することが可能になる。
【発明の効果】
【００３６】
本発明に係る定量計量機能付き電子秤の構成によれば、定量計量時において被計量物の軽量、適量、過量の程度を即座にかつ直感的に認識することが可能な定量計量機能付き電子秤を提供することが可能となる。これにより、被計量物の定貫作業の作業スピードを向上させることが可能になるので、製品の生産効率を向上させることが可能になる。
【発明を実施するための最良の形態】
【００３７】
以下、本発明を実施するための最良の形態について、図面を参照しながら詳細に説明する。
【００３８】
（実施の形態１）
先ず、本実施の形態に係る定量計量機能付き電子秤の構成について説明する。
【００３９】
図１は本発明の実施の形態１に係る定量計量機能付き電子秤の構成を模式的に示す外観図であって、図１（ａ）は定量計量機能付き電子秤の全体構成を示す斜視図であり、図１（ｂ）は定量計量機能付き電子秤の表示構成を示す正面図である。
【００４０】
図１（ａ）に示すように、本実施の形態に係る定量計量機能付き電子秤１００ａは、その上方に被計量物が搭載される上皿１０を備えている。又、図１（ａ）に示すように、この定量計量機能付き電子秤１００ａは、被計量物の質量を検出してこれに応じた質量情報を出力する質量検出部（図示せず）と、この質量検出部から出力された質量情報を用いて所定の演算処理により被計量物の質量値情報を演算してこれを出力する質量演算部（図示せず）と、この質量演算部から出力された質量値情報を用いて被計量物の質量値を少なくとも表示する表示部１０１ａと、を備える本体２０を備えている。ここで、本実施の形態に係る定量計量機能付き電子秤１００ａの基本的な内部構成は、従来の定量計量機能付き電子秤の基本的な内部構成と同様である。又、本実施の形態に係る定量計量機能付き電子秤１００ａは、表示部１０１ａにおける表示形態において特徴を有している。従って、ここでは、定量計量機能付き電子秤１００ａの基本的な内部構成に関する説明は省略する。
【００４１】
又、図１（ａ）に示すように、この定量計量機能付き電子秤１００ａの表示部１０１ａは、被計量物の質量値を表示する質量表示窓３０と、被計量物の質量値が所定の適量範囲内の質量値であるか所定の適量範囲外の質量値であるかを画像により表示する軽量・適量・過量メーター４０と、被計量物の質量値を所定の適量範囲内の質量値とするための補正情報を表示する補正情報表示窓５０と、を備えている。これらの質量表示窓３０、軽量・適量・過量メーター４０、補正情報表示窓５０は、例えば、表示部１０１ａが液晶表示パネルにより構成され、この液晶表示パネルにおいて画像として表示される。
【００４２】
図１（ｂ）を参照しながら、表示部１０１ａの構成について具体的に説明すれば、この表示部１０１ａの軽量・適量・過量メーター４０では、被計量物の質量値が所定の適量範囲未満の質量値であることを示すための軽量範囲４０ａと、被計量物の質量値が所定の適量範囲内の質量値であることを示すための適量範囲４０ｂと、被計量物の質量値が所定の適量範囲を越える質量値であることを示すための過量範囲４０ｃと、が表示される。又、この表示部１０１ａの軽量・適量・過量メーター４０では、被計量物の質量値が軽量〜過量範囲４０ａ〜４０ｃの何れの領域の質量値であるか、つまり、被計量物の質量値が軽量〜過量の何れの質量値であるかを指示する指針４０ｄが表示される。更に、この表示部１０１ａの軽量・適量・過量メーター４０では、監督者がオペレータに対して作業内容の改善指導等を行うために、被計量物の質量値の所定の期間における累積の平均値を知らせる平均値マーカー４０ｅが表示される。
【００４３】
又、図１（ｂ）に示すように、本実施の形態において、表示部１０１ａの補正情報表示窓５０は、第１表示窓５０ａと第２表示窓５０ｂとを備えている。ここで、本実施の形態では、被計量物の質量の検出前の状態では、第１表示窓５０ａに所定の適量範囲の下限の質量値が下限規格値として表示されると共に、第２表示窓５０ｂに所定の適量範囲の上限の質量値が上限規格値として表示される。具体的には、図１（ｂ）に示すように、第１表示窓５０ａには下限規格値である「１２０ｇ」という文字が表示されると共に、第２表示窓５０ｂには上限規格値である「１５０ｇ」という文字が表示される。一方、被計量物の質量の検出時においては、第１表示窓５０ａに被計量物の増量に係る補正情報（増量すべき被計量物の質量値）が表示されるか、或いは、第２表示窓５０ｂに被計量物の減量に係る補正情報（減量すべき被計量物の質量値）が表示される。
【００４４】
尚、本実施の形態において、補正情報表示窓５０の第１表示窓５０ａ及び第２表示窓５０ｂに表示される被計量物の上限規格値及び下限規格値は、図１（ａ）では図示されない所定の入力部がオペレータにより適宜操作されることにより、適切に設定される。又、軽量・適量・過量メーター４０の軽量〜過量範囲４０ａ〜４０ｃは、オペレータにより適切に設定された上限規格値及び下限規格値に基づき、最適な目盛りが設けられて適切に表示される。尚、これらの表示部１０１ａにおけるそれぞれの表示動作は、定量計量機能付き電子秤１００ａの本体２０に設けられた制御部（図示せず）により適宜制御される。
【００４５】
次に、本実施の形態に係る定量計量機能付き電子秤の動作について説明する。
【００４６】
上述したように、被計量物の質量の検出前の状態では、第１表示窓５０ａに所定の適量範囲の下限の質量値が下限規格値として表示されると共に、第２表示窓５０ｂに所定の適量範囲の上限の質量値が上限規格値として表示される（図１（ｂ）参照）。この第１表示窓５０ａ及び第２表示窓５０ｂに表示される下限規格値及び上限規格値を目視することにより、オペレータは、定貫作業における被計量物の質量値の適量範囲を認識する。
【００４７】
図２は本発明の実施の形態１に係る定量計量機能付き電子秤の軽量・適量・過量メーターの第１の表示形態を模式的に示す正面図であって、図２（ａ）は被計量物の質量が適量範囲未満である場合の表示形態を示す正面図であり、図２（ｂ）は被計量物の質量が適量範囲内である場合の表示形態を示す正面図であり、図２（ｃ）は被計量物の質量が適量範囲を越える場合の表示形態を示す正面図である。
【００４８】
図２（ａ）に示すように、オペレータが上皿１０に被計量物を搭載すると、そのオペレータが上皿１０に搭載した被計量物の質量値が所定の適量範囲未満の質量値である場合には、指針４０ｄが軽量範囲４０ａにおいて被計量物の質量値に応じて表示される。又、この場合、補正情報表示窓５０の第１表示窓５０ａには、被計量物の質量値を所定の適量範囲４０ｂの質量値とするための増量値（ここでは、２０ｇ）が表示される。ここで、本実施の形態において、被計量物の質量値が適量範囲４０ｂ未満の質量値である場合には、適量範囲４０ｂの下限の質量値である適量下限値Ｗａが所定の質量値として設定される。そして、補正情報表示窓５０の第１表示窓５０ａに表示される増量値としては、その設定された適量範囲４０ｂの下限の質量値である適量下限値Ｗａに対する増量値が表示される。この第１表示窓５０ａに表示される増量値を目視することにより、オペレータは、被計量物の適切な増量値を認識する。
【００４９】
又、図２（ｂ）に示すように、オペレータが上皿１０に搭載した被計量物の質量値が所定の適量範囲内の質量値である場合には、指針４０ｄが適量範囲４０ｂにおいて被計量物の質量値に応じて表示される。又、この場合、補正情報表示窓５０の第２表示窓５０ｂには、被計量物の質量値を所定の適量範囲４０ｂの質量値とするための減量値（２３ｇ）が表示される。ここで、本実施の形態において、被計量物の質量値が適量範囲４０ｂ内の質量値である場合においても、適量範囲４０ｂの下限の質量値である適量下限値Ｗａが所定の質量値として設定される。そして、補正情報表示窓５０の第２表示窓５０ｂに表示される減量値としては、その設定された適量範囲４０ｂの下限の質量値である適量下限値Ｗａに対する減量値が表示される。この第２表示窓５０ｂに表示される減量値を目視することにより、オペレータは、被計量物の適切な減量値を認識する。
【００５０】
更に、図２（ｃ）に示すように、オペレータが上皿１０に搭載した被計量物の質量値が所定の適量範囲を越える質量値である場合には、指針４０ｄが過量範囲４０ｃにおいて被計量物の質量値に応じて表示される。又、この場合、補正情報表示窓５０の第２表示窓５０ｂには、被計量物の質量値を所定の適量範囲４０ｂの質量値とするための減量値（２０ｇ）が表示される。ここで、本実施の形態において、被計量物の質量値が適量範囲４０ｂを越える質量値である場合には、適量範囲４０ｂの上限の質量値である適量上限値Ｗｂが所定の質量値として設定される。そして、補正情報表示窓５０の第２表示窓５０ｂに表示される減量値としては、その設定された適量範囲４０ｂの上限の質量値である適量上限値Ｗｂに対する減量値が表示される。この第２表示窓５０ｂに表示される減量値を目視することにより、オペレータは、被計量物の適切な減量値を認識する。
【００５１】
ここで、図２（ａ）〜図２（ｃ）に示すように、本実施の形態では、軽量・適量・過量メーター４０において、所定の期間において計量された被計量物の質量値の累積の平均を示す平均値マーカー４０ｅが画像により表示される。オペレータは、この表示された平均値マーカー４０ｅを目視することにより、上皿１０への被計量物の搭載量を適宜適切に加減する。或いは、監督者は、軽量・適量・過量メーター４０に表示された平均値マーカーを目視することにより、オペレータに対して作業内容の改善指導を行う。
【００５２】
又、本実施の形態では、補正情報表示窓５０の第１表示窓５０ａ及び第２表示窓５０ｂが、被計量物の質量値の適量範囲４０ｂからの隔たりに応じた分解能で、補正情報を表示する。具体的には、適量下限値Ｗａが１００ｇであり、被計量物の質量値がこの適量下限値Ｗａから大幅に離れている７０ｇである場合には、オペレータが被計量物の増量値を直感的に把握することができるよう、補正情報表示窓５０の第１表示窓５０ａは、増量値を３０ｇといった直感的に分かり易い分解能により表示する。一方、適量下限値Ｗａが１００ｇであり、被計量物の質量値がこの適量下限値Ｗａに近い９５ｇである場合には、オペレータが被計量物の増量値を正確に把握することができるよう、補正情報表示窓５０の第１表示窓５０ａは、増量値を５ｇといった細かい分解能により表示する。
【００５３】
又、図３は本実施の形態に係る定量計量機能付き電子秤の軽量・適量・過量メーターの第２，３の表示形態を模式的に示す正面図であって、図３（ａ）は被計量物の質量が適量範囲未満である場合の第２の表示形態を示す正面図であり、図３（ｂ）は被計量物の質量が適量範囲未満である場合の第３の表示形態を示す正面図である。
【００５４】
図３（ａ）に示すように、例えば、オペレータが上皿１０に搭載した被計量物の質量値が所定の適量範囲未満の質量値である場合には、図２（ａ）の場合と同様にして、指針４０ｄが軽量範囲４０ａにおいて被計量物の質量値に応じて表示される。ここで、本実施の形態に係る第２の表示形態では、補正情報表示窓５０の第１表示窓５０ａには、オペレータにより計量された被計量物の質量値が適量範囲４０ｂ内の適量下限値Ｗａの何分の一であるかが、補正情報として表示される。図３（ａ）を参照すれば、補正情報表示窓５０の第１表示窓５０ａは、オペレータにより計量された被計量物の質量値が適量範囲４０ｂ内の適量下限値Ｗａの四分の三であることが、補正情報として表示される。尚、ここで用いられる適量下限値Ｗａは、図２（ａ）の場合と同様にして設定される。この第１表示窓５０ａに表示される割合を目視することにより、オペレータは、被計量物の適切な増量値を認識する。
【００５５】
又、図３（ｂ）に示すように、オペレータが上皿１０に搭載した被計量物の質量値が所定の適量範囲未満の質量値である場合には、図３（ａ）の場合と同様にして、指針４０ｄが軽量範囲４０ａにおいて被計量物の質量値に応じて表示される。ここで、本実施の形態に係る第３の表示形態では、補正情報表示窓５０の第１表示窓５０ａには、オペレータにより計量された被計量物の質量値が適量範囲４０ｂ内の適量下限値Ｗａの何％であるかが補正情報として表示される。図３（ｂ）を参照すれば、補正情報表示窓５０の第１表示窓５０ａは、オペレータにより計量された被計量物の質量値が適量範囲４０ｂ内の適量下限値Ｗａの７５％であることが、補正情報として表示される。この第１表示窓５０ａに表示される割合を目視することにより、オペレータは、被計量物の適切な増量値を認識する。
【００５６】
このように、本実施の形態によれば、定量計量時において被計量物の軽量、適量、過量の程度を即座にかつ直感的に認識することが可能になる。又、被計量物の質量値が軽量、適量、過量である場合に、被計量物をどの程度増やせばよいか、或いは、被計量物をどの程度減らせばよいかが具体的に表示されるので、オペレータの作業性及び作業効率が大幅に改善される。又、質量表示窓３０とは別に補正情報表示窓５０が設けられるので、被計量物の実際の質量値とその補正情報とを同時に把握することができ、オペレータの作業上有利となる。
【００５７】
（実施の形態２）
先ず、本実施の形態に係る定量計量機能付き電子秤の構成について説明する。
【００５８】
図４は本発明の実施の形態２に係る定量計量機能付き電子秤の構成を模式的に示す外観図であって、図４（ａ）は定量計量機能付き電子秤の全体構成を示す斜視図であり、図４（ｂ）は定量計量機能付き電子秤の表示構成を示す正面図である。
【００５９】
図４（ａ）に示すように、本実施の形態に係る定量計量機能付き電子秤１００ｂは、定量計量機能付き電子秤１００ａの場合と同様にして、上皿１０と、表示部１０１ｂを備える本体２０と、を備えている。そして、図４（ａ）に示すように、この定量計量機能付き電子秤１００ｂの表示部１０１ｂは、被計量物の質量値を表示する質量表示窓３０と、被計量物の質量値が所定の適量範囲内の質量値であるか所定の適量範囲外の質量値であるかを画像により表示する軽量・適量・過量メーター６０と、被計量物の質量値を所定の適量範囲内の質量値とするための補正情報を表示する補正情報表示窓７０と、を備えている。
【００６０】
図４（ｂ）を参照しながら、表示部１０１ｂの構成について具体的に説明すれば、この表示部１０１ｂの軽量・適量・過量メーター６０では、被計量物の質量値が所定の適量範囲未満の質量値であることを示すための軽量範囲６０ａと、被計量物の質量値が所定の適量範囲内の質量値であることを示すための適量範囲６０ｂと、被計量物の質量値が所定の適量範囲を越える質量値であることを示すための過量範囲６０ｃと、が表示される。
【００６１】
又、この表示部１０１ｂの軽量・適量・過量メーター６０では、被計量物の質量値が軽量〜過量範囲６０ａ〜６０ｃの何れの領域の質量値であるかを指示するバーグラフ６０ｄが表示される。更に、この表示部１０１ｂの軽量・適量・過量メーター６０では、実施の形態１の場合と同様、被計量物の質量値の所定の期間における累積の平均値を知らせる平均値マーカー６０ｅが表示される。
【００６２】
又、図４（ｂ）に示すように、表示部１０１ｂの補正情報表示窓７０は、実施の形態１の場合と同様、第１表示窓７０ａと第２表示窓７０ｂとを備えている。本実施の形態においても、被計量物の質量の検出前の状態では、第１表示窓７０ａに所定の適量範囲の下限の質量値（１２０ｇ）が下限規格値として表示されると共に、第２表示窓７０ｂに所定の適量範囲の上限の質量値（１５０ｇ）が上限規格値として表示される。一方、被計量物の質量の検出時においては、第１表示窓７０ａに被計量物の増量に係る補正情報が表示されるか、或いは、第２表示窓７０ｂに被計量物の減量に係る補正情報が表示される。
【００６３】
尚、本実施の形態においても、軽量・適量・過量メーター６０の軽量〜過量範囲６０ａ〜６０ｃは、オペレータにより適切に設定された上限規格値及び下限規格値に基づき、最適な目盛りが設けられて適切に表示される。
【００６４】
次に、本実施の形態に係る定量計量機能付き電子秤の動作について説明する。
【００６５】
図５は本実施の形態に係る定量計量機能付き電子秤の軽量・適量・過量メーターの第１，２の表示形態を模式的に示す正面図であって、図５（ａ）及び図５（ｂ）は被計量物の質量が適量範囲未満である場合及び適量範囲内である場合の第１の表示形態を示す正面図であり、図５（ｃ）は被計量物の質量が適量範囲未満である場合の第２の表示形態を示す正面図である。
【００６６】
図５（ａ）に示すように、オペレータが上皿１０に被計量物を搭載すると、そのオペレータが上皿１０に搭載した被計量物の質量値が所定の適量範囲未満の質量値である場合には、バーグラフ６０ｄが軽量範囲６０ａにおいて被計量物の質量値に応じた位置まで点灯表示される。又、この場合、補正情報表示窓７０の第１表示窓７０ａには、被計量物の質量値を所定の適量範囲６０ｂ内の質量値とするための増量値（２０ｇ）が表示される。ここで、本実施の形態においても、被計量物の質量値が適量範囲６０ｂ未満の質量値である場合には、適量範囲６０ｂの下限の質量値である適量下限値Ｗａが所定の質量値として設定される。そして、補正情報表示窓７０の第１表示窓７０ａには、その設定された適量範囲６０ｂの下限の質量値である適量下限値Ｗａに対する増量値が表示される。
【００６７】
又、図５（ｂ）に示すように、オペレータが上皿１０に搭載した被計量物の質量値が所定の適量範囲内の質量値である場合には、バーグラフ６０ｄが適量範囲６０ｂにおいて被計量物の質量値に応じた位置まで点灯表示される。又、この場合、補正情報表示窓７０の第２表示窓７０ｂには、被計量物の質量値を所定の適量範囲６０ｂ内の質量値とするための減量値（２３ｇ）が表示される。ここで、本実施の形態においても、被計量物の質量値が適量範囲６０ｂ内の質量値である場合には、適量範囲６０ｂの下限の質量値である適量下限値Ｗａが所定の質量値として設定される。そして、補正情報表示窓７０の第２表示窓７０ｂには、その設定された適量範囲６０ｂの下限の質量値である適量下限値Ｗａに対する減量値が表示される。
【００６８】
一方、図５（ｃ）に示すように、オペレータが上皿１０に搭載した被計量物の質量値が所定の適量範囲未満の質量値である場合、バーグラフ６０ｄが軽量範囲６０ａにおいて被計量物の質量値に応じた位置まで点灯表示される。ここで、補正情報表示窓７０の第１表示窓７０ａには、オペレータにより計量された被計量物の質量値が適量範囲７０ｂ内の適量下限値Ｗａの何％であるかが補正情報として表示される。図５（ｃ）を参照すれば、補正情報表示窓７０の第１表示窓７０ａは、オペレータにより計量された被計量物の質量値が適量範囲６０ｂ内の適量下限値Ｗａの７５％であることが補正情報として表示される。
【００６９】
このように、軽量・適量・過量メーター６０の構成を、実施の形態１で例示した円弧状の軽量・適量・過量メーター４０に代えて、バーグラフタイプの構成とすることによっても、定量計量時においてオペレータに被計量物の軽量、適量、過量の程度を即座にかつ直感的に認識させることができる。
【００７０】
尚、その他の点については、実施の形態１の場合と同様である。
【００７１】
（実施の形態３）
図６は、本発明の実施の形態３に係る定量計量機能付き電子秤の構成を模式的に示す外観図である。
【００７２】
図６に示すように、本実施の形態に係る定量計量機能付き電子秤１００ａは、実施の形態１の場合と同様、上皿１０と、質量表示窓３０と軽量・適量・過量メーター４０と補正情報表示窓５０とが表示される表示部１０１ａが設けられた本体２０と、を備えている。そして、図６に示すように、本実施の形態では、ランプ付き見本台９０ａが更に設けられており、このランプ付き見本台９０ａと定量計量機能付き電子秤１００ａとが接続ケーブル９０ｂにより接続されている。ここで、ランプ付き見本台９０ａには、定量計量機能付き電子秤１００ａの上皿１０に搭載された被計量物８０に対応する被計量物の見本表示Ｓ１〜Ｓ３が表示又は搭載されている。これらの見本表示Ｓ１〜Ｓ３のうち、見本表示Ｓ１の前方にはその見本表示Ｓ１の見本質量値ＷＳ１が表示され、見本表示Ｓ２の前方にはその見本表示Ｓ２の見本質量値ＷＳ２が表示され、見本表示Ｓ３の前方にはその見本表示Ｓ３の見本質量値ＷＳ３が表示されている。又、見本質量値ＷＳ１〜ＷＳ３の前方には、ランプＬ１〜Ｌ３が設けられている。
【００７３】
又、本実施の形態では、補正情報表示窓５０に被計量物の増量値又は減量値が表示されると、その表示された増量値又は減量値に対応するランプＬ１〜Ｌ３が点灯又は点滅されるように構成されている。
【００７４】
尚、図６では、ランプ付き見本台９０ａに見本表示Ｓ１〜Ｓ３が表示される形態を例示しているが、このような形態に限定されることはない。このランプ付き見本台９０ａに表示される見本表示の個数は、オペレータの作業習熟度に応じて適宜決定すればよい。具体的には、オペレータが定貫作業の初心者である場合には見本表示の個数を増やし、オペレータが定貫作業の習熟者である場合には見本表示の個数を減らせばよい。
【００７５】
又、本実施の形態では、ランプ付き見本台９０ａが設けられている形態を例示しているが、このような形態に限定されることはなく、例えば、ランプ付き見本台９０ａの全体を液晶表示装置等の表示装置により構成して、見本表示Ｓ１〜Ｓ３、見本質量値ＷＳ１〜ＷＳ３、ランプＬ１〜Ｌ３が画像表示されるように構成してもよい。
【００７６】
かかる定量計量機能付き電子秤では、図６に示すように、オペレータが定量計量機能付き電子秤１００ａの上皿１０に被計量物８０を搭載すると、そのオペレータが上皿１０に搭載した被計量物８０の質量値が所定の適量範囲未満の質量値である場合には、指針４０ｄが軽量範囲４０ａにおける被計量物８０の質量値に応じた位置に表示される。又、補正情報表示窓５０の第１表示窓５０ａには、被計量物８０の質量値を所定の適量範囲４０ｂ内の質量値とするための増量値（２０ｇ）が表示される。又、これと同時に、本実施の形態では、補正情報表示窓５０の第１表示窓５０ａに表示された増量値に対応するように、ランプ付き見本台９０ａのここではランプＬ２が見本表示Ｓ２を指示するように点灯又は点滅される。尚、ランプ付き見本台９０ａのランプＬ２が指示する見本表示Ｓ２の見本質量値ＷＳ２は、実施の形態１，２の場合と同様、適量範囲４０ｂの下限の質量値である適量下限値Ｗａに対する増量値とされる。
【００７７】
そして、定量計量機能付き電子秤１００ａのオペレータは、ランプ付き見本台９０ａにおいてランプＬ２により指示された見本表示Ｓ２を参照することで、それに応じた量の被計量物８０を上皿１０に更に搭載する。これにより、オペレータは、所定の適量範囲内の質量値となるように被計量物８０を計量する。
【００７８】
本実施の形態によれば、ランプ付き見本台９０ａにより増量又は減量すべき被計量物８０の程度が選択的に指示される。これにより、オペレータは、被計量物８０を目視によりどの程度増量又は減量させるかを即座に認識することができる。従って、本実施の形態によれば、オペレータによる定量計量スピードを更に向上させることが可能になる。
【００７９】
尚、その他の点については、実施の形態１，２の場合と同様である。
【産業上の利用可能性】
【００８０】
本発明に係る定量計量機能付き電子秤は、定量計量時において被計量物の軽量、適量、過量の程度を即座にかつ直感的に認識することが可能な定量計量機能付き電子秤として、産業上の利用可能性を備えている。
【図面の簡単な説明】
【００８１】
【図１】図１は本発明の実施の形態１に係る定量計量機能付き電子秤の構成を模式的に示す外観図であって、図１（ａ）は定量計量機能付き電子秤の全体構成を示す斜視図であり、図１（ｂ）は定量計量機能付き電子秤の表示構成を示す正面図である。
【図２】図２は本発明の実施の形態１に係る定量計量機能付き電子秤の軽量・適量・過量メーターの第１の表示形態を模式的に示す正面図であって、図２（ａ）は被計量物の質量が適量範囲未満である場合の表示形態を示す正面図であり、図２（ｂ）は被計量物の質量が適量範囲内である場合の表示形態を示す正面図であり、図２（ｃ）は被計量物の質量が適量範囲を越える場合の表示形態を示す正面図である。
【図３】図３は本発明の実施の形態１に係る定量計量機能付き電子秤の軽量・適量・過量メーターの第２，３の表示形態を模式的に示す正面図であって、図３（ａ）は被計量物の質量が適量範囲未満である場合の第２の表示形態を示す正面図であり、図３（ｂ）は被計量物の質量が適量範囲未満である場合の第３の表示形態を示す正面図である。
【図４】図４は本発明の実施の形態２に係る定量計量機能付き電子秤の構成を模式的に示す外観図であって、図４（ａ）は定量計量機能付き電子秤の全体構成を示す斜視図であり、図４（ｂ）は定量計量機能付き電子秤の表示構成を示す正面図である。
【図５】図５は本発明の実施の形態２に係る定量計量機能付き電子秤の軽量・適量・過量メーターの第１，２の表示形態を模式的に示す正面図であって、図５（ａ）及び図５（ｂ）は被計量物の質量が適量範囲未満である場合及び適量範囲内である場合の第１の表示形態を示す正面図であり、図５（ｃ）は被計量物の質量が適量範囲未満である場合の第２の表示形態を示す正面図である。
【図６】図６は、本発明の実施の形態３に係る定量計量機能付き電子秤の構成を模式的に示す外観図である。
【符号の説明】
【００８２】
１０  上皿
２０  本体
３０  質量表示窓
４０  軽量・適量・過量メーター
４０ａ  軽量範囲
４０ｂ  適量範囲
４０ｃ  過量範囲
４０ｄ  指針
４０ｅ  平均値マーカー
５０  補正情報表示窓
５０ａ  第１表示窓
５０ｂ  第２表示窓
６０  軽量・適量・過量メーター
６０ａ  軽量範囲
６０ｂ  適量範囲
６０ｃ  過量範囲
６０ｄ  バーグラフ
６０ｅ  平均値マーカー
７０  補正情報表示窓
７０ａ  第１表示窓
７０ｂ  第２表示窓
８０  被計量物
９０ａ  ランプ付き見本台
９０ｂ  接続ケーブル
１００ａ，１００ｂ  定量計量機能付き電子秤
１０１ａ，１０１ｂ  表示部
Ｌ１，Ｌ２，Ｌ３  ランプ
Ｓ１，Ｓ２，Ｓ３  見本表示
ＷＳ１，ＷＳ２，ＷＳ３  見本質量値
Ｗａ  適量下限値
Ｗｂ  適量上限値
【図１】
2010122013.tif 000003
【図２】
2010122013.tif 000004
【図３】
2010122013.tif 000005
【図４】
2010122013.tif 000006
【図５】
2010122013.tif 000007
【図６】
2010122013.tif 000008